(57)【特許請求の範囲】
【請求項１】
相対する板状体の間に内部空間が形成されるとともに、前記相対する板状体の一部に開口部が形成された二重壁構造体と、
前記開口部に設置されることで前記内部空間を完全にもしくはほぼ閉鎖させることが可能であるとともに、板状部材またはシート状体である閉鎖部材と、
前記閉鎖部材に設けられ、かつ前記内部空間側に閉空間を形成するとともに当該内部空間側における少なくとも一部に多孔を有する部分が設けられた閉空間形成殻と、
前記閉空間形成殻が設けられた前記閉鎖部材の逆側に空間を形成する枠体と、を含み、
前記閉鎖部材は、多孔質体からなることを特徴とする枠体付き二重壁構造体。
【請求項２】
前記閉鎖部材は、
振動減衰性を有する構造もしくは素材からなる制振部材を含むことを特徴とする前記請求項１記載の枠体付き二重壁構造体。
【請求項３】
前記閉鎖部材は、
凹凸形状を含むものであることを特徴とする請求項１または２に記載の枠体付き二重壁構造体。
【請求項４】
前記閉空間形成殻は、
複数の小室から形成されていることを特徴とする請求項１乃至請求項３のいずれか１項に記載の枠体付き二重壁構造体。
【請求項５】
前記閉空間形成殻は、
仕切り部材で複数の小室が形成されていることを特徴とする請求項１乃至請求項４のいずれか１項に記載の枠体付き二重壁構造体。
【請求項６】
前記閉空間形成殻は、
凹凸形状を含むものであることを特徴とする請求項１乃至請求項５のいずれか１項に記載の枠体付き二重壁構造体。
【発明の詳細な説明】
【技術分野】
【０００１】
本発明は、自動車の車体で袋構造を取る部品、例えば、ドア、フード、トランクリッドなどに対して騒音発生源からの音を遮音するための枠体付き二重壁構造に関するものである。
【背景技術】
【０００２】
自動車に用いられる部品としてのドアやフード、トランクリッドなどに二重壁構造体を使用することが従来から提案されている（例えば、特許文献１及び２参照）。この従来例の構成を模式的に図２４に示す。この従来例の二重壁構造体１’は、所定の距離を隔てて相対する板状体２，３の間に内部空間４が形成されるとともに、当該内部空間４が側板５によって閉鎖された、中空箱状の構成とされている。
【特許文献１】特開２００２−９６６３６号公報
【特許文献２】特開２００３−１１８３６４号公報
【発明の開示】
【発明が解決しようとする課題】
【０００３】
しかし、上記特許文献１に示すような二重壁構造体１’において、（ａ）下側から騒音の音波が放射され、当該騒音が特定の周波数の音成分を含んでいると、その音成分に対し内部空間４での共鳴（主に板状体２，３に平行な方向の共鳴）が発生することによって放射面たる上側の板状体３の振幅が増大してしまい、放射音の増大により遮音性能が低下してしまっていた。（ｂ）あるいは、前記二重壁構造体１’は、板状体２−内部空間４の空気（バネとして作用）−板状体３の三者で振動系を構成するが、特定の周波数の騒音に対してはその振動系で共振が生じることがあり、これが遮音性能を低下させてしまっていた。
【０００４】
本発明は以上の点に鑑みてされたものであり、その目的は、特定の周波数の音に対する音響透過量増大を抑制し、様々な周波数の音について安定して遮音性能を発揮し得る枠体付き二重壁構造体を提供することにある。
【課題を解決するための手段および効果】
【０００５】
（１）
本発明に係る枠体付き二重壁構造体は、相対する板状体の間に内部空間が形成されるとともに、相対する板状体の一部に開口部が形成された二重壁構造体と、開口部に設置されることで内部空間を完全にもしくはほぼ閉鎖する閉鎖部材と、閉鎖部材に設けられ、かつ内部空間側に閉空間を形成するとともに当該内部空間側における少なくとも一部に多孔を有する部分が設けられた閉空間形成殻と、閉空間形成殻が設けられた閉鎖部材の逆側に空間を形成する枠体と、を含むものである。
【０００６】
本発明に係る枠体付き二重壁構造体においては、二重壁構造体の一部に形成された開口部に対して、閉空間形成殻を備えた板状部材が設置される。なお、ここでの閉鎖とは、厳密な密閉のみを意味するものではなく、一部隙間や開口部を有する場合も含むものである。また、吸音機構となる閉空間形成殻は、内部空間の共鳴状態において音圧の高い部位付近に形成される。
また、枠体を設けることにより、相対する板状体と閉鎖部材からなる二重壁構造体とともに、三重壁構造体に類する構造を形成する。
【０００７】
この場合、枠体付き二重壁構造体の内部空間が閉鎖されるので、二重壁構造体の一方から音圧加振された場合、閉空間形成殻において発生する共鳴の作用により内部空間の音圧を効果的に低減することができ、二重壁構造体の他方の板状態の振動振幅を効果的に低減できる。したがって、枠体付き二重壁構造の他方への音放射面である枠体の振動も低減され、枠体付き二重壁構造の音響透過損失を向上させることができる。
【０００８】
（２）
閉鎖部材は、振動減衰性を有する構造もしくは素材からなる制振部材を含んでもよい。なお、制振部材には、制振材料を積層した板状体、制振材料を介して拘束板を積層した板状体等も含まれる。なお、閉鎖部材には、板状部材またはシート状体が含まれ、シート状体とは、板より薄いもの、例えば、膜、箔、フィルム等を意味しており、金属箔、樹脂膜、布または不織布等が使用可能である。
【０００９】
この構成により音圧加振が与えられた場合でも、閉鎖部材自体が振動減衰性を有することにより、閉鎖部材自体の振幅を低減でき安定して遮音性能を発揮することができる。なお、閉鎖部材の振動減衰性を付与する手段としては、板状部材を制振部材（例えば、制振鋼板、制振アルミ板、制振樹脂等）とする、または板状部材に制振材料（制振ゴム等、制振樹脂）を貼り付けてもよい。
【００１０】
（３）
閉鎖部材は、凹凸部材を含んでもよい。なお、凹凸部材の一例としてエンボス加工が施されてもよい。
【００１１】
この場合、閉鎖部材の剛性および振動減衰性を高めることが出来ることにより板状部材自体の振幅を低減でき、安定して遮音性能を発揮し得ることができる。
【００１２】
（４）
閉鎖部材は、吸音性を有する構造もしくは素材を含むことが好ましい。この場合、閉鎖部材による吸音性も向上させることができ、また、内部空間の共鳴を低減できるので、安定して遮音性能を発揮し得ることができる。
【００１３】
（５）
閉鎖部材は、多孔質体からなることが好ましい。なお、多孔質体は一枚に限定されず、複数枚から構成されてもよく、また、多孔質体と多孔板とが積層された構成としてもよい。
【００１４】
この場合、閉鎖部材による吸音性も向上させることができ、また、内部空間の共鳴を低減できるので、安定して遮音性能を発揮し得ることができる。
【００１５】
（６）
閉空間形成殻は、複数の小室から形成されてもよい。
【００１６】
この場合、閉空間形成殻が複数の小室から形成されているので、小室ごとに仕様（多孔の径、多孔板厚、空気層厚さ、開口率等）を変えられることから、多数の共鳴の抑制を図ることができ、音響透過損失を向上できる。
【００１７】
（７）
閉空間形成殻は、仕切り部材で複数の小室が形成されていてもよい。
【００１８】
この場合、仕切り部材により複数の小室が形成されるので、小室ごとに仕様（多孔の径、多孔板厚、空気層厚さ、開口率等）を変えられることから、多数の共鳴の抑制を図ることができ、音響透過損失を向上できる。以上の多孔面は１枚に限らず、複数枚が積層もしくは空間（間隙）を有する多層により形成されてもよい。
【００１９】
（８）
閉空間形成殻は、凹凸形状を含んでもよい。
【００２０】
この場合、閉空間形成殻そのものが凹凸形状を含むので、閉空間形成殻形成時の深絞り等の加工時における加工性能、振動に対する強度向上等を図ることができる。また、閉空間形成殻の一部に凹凸形状を含んでもよく、閉空間形成殻全体に凹凸形状を形成してもよい。なお、凹凸形状には、エンボス加工等による加工が含まれる。
【００２１】
なお、多孔の設計条件については、例えば、特開２００３−０５０５８６号公報記載の設計条件を用いることができる。具体的に上記の閉空間構造体の多孔面の孔に関する設計条件は、例えば、板厚、穴径および開口率が、多孔を流通する空気に粘性作用を発生させる設計条件を満足するように設定してもよい。
【００２２】
この多孔面を有する閉空間構造体を設けた二重壁構造体により粘性作用による空気振動の熱エネルギーへの変換が促進された結果、広い周波数帯域幅で十分な吸音性能を確実に発揮することになる。これにより、共鳴周波数の騒音の他、この周波数以外の騒音に対しても優れた吸音性能を有することになる。
【００２３】
さらに、この二重壁構造体の多孔面は、例えば、０．３以上の吸音率となる周波数帯域幅が、共鳴周波数に対して１０％以上に設定されていてもよい。さらに、多孔面の開口率が３％以下であってもよい。さらに、多孔面の各孔の直径が３ｍｍ以下であって、防音対象の音源が７０ｄＢ以上であってもよい。
【００２４】
なお、多孔面の各孔の直径は、１ｍｍ以下であることがより好ましい。なお、本発明に係る孔径は、閉空間構造体に設けられることより多孔面の各孔の直径が０．２ｍｍ以下でも使用できる。
【００２５】
また、閉空間形成殻は、複数の平面により閉空間が形成されるものに限らず、曲面により閉空間が形成されてもよい。例えば、球体からなる閉空間形成殻、または球体の一部からなる閉空間形成殻であってもよい。
【発明を実施するための最良の形態】
【００２６】
次に、発明の実施の形態を説明する。なお、本実施の形態においては、閉空間形成殻の一例として閉空間構造体について説明する。また、図１から図２０には二重壁構造体の実施例および参考例がそれぞれ示されており、図２１から図２３には、二重壁構造の効果について示されている。以下、順を追って説明する。
【００２７】
図１は、二重壁構造体の参考例を示す模式的斜視図である。図１に模式図を示す参考例１−１の二重壁構造体１は、乗用車の部品としてのドアを想定したものである。
【００２８】
この二重壁構造体１は、平行に配置されるとともに互いに所定の距離をおいて相対する板状体２，３を備えている。板状体２，３は一方向に若干長い長方形状に構成されており、２枚の対向する板状体２，３の間には、内部空間４が形成される。板状体２，３同士を繋ぐように側板５が設けられており、これによって内部空間４はほぼ閉鎖される。言い換えれば本実施形態の二重壁構造体１は、二重壁たる板状体２，３と、側板５とで、内部空間４を囲む箱状に構成されている。
【００２９】
そして本実施形態では、内部空間４における音圧が大きい位置に直方体形状の一面に多孔面６ａを有する閉空間構造体６を設けている。この多孔面６ａを有する閉空間構造体６の素材としては、例えば、鉄、アルミ、樹脂、紙など板状態を構成できる素材、または多孔を有する箔状体等、全てを用いることができる。
【００３０】
なお、本実施例および参考例においては、閉空間構造体６は、直方体形状からなり、独立した内部空間（以下、閉空間と呼ぶ。）を有する。３個の閉空間構造体６の下端部が、内部空間４内で、かつ加振側の板状体２の表面上に接触して配設されている。具体的には、閉空間構造体６と板状体２とが、接着剤等で接着することにより接合されている。なお、多孔面６ａは、必ずしも板状体２，３と平行でなくてもよい。また、３個の閉空間構造体６を設けることに限定されるものではなく、１個の大きな閉空間構造体６を設け、内部を３個に区分けする構成を用いてもよい。
【００３１】
なお、多孔面６ａの設置位置の決定にあたっては、内部空間４での共鳴によって音圧が大きくなる位置を有限要素法や境界要素法による数値計算によって求め、あるいは実際の構造体を製作してその吸音性能を測定することによって求めて、その位置に配置するものとしている。ただし、計算で理論的に求めた位置と実際に吸音効果が最も高い位置とは厳密には一致せずズレが生じることも多いので、実際に閉空間構造体６を配置する位置は、音圧が大きくなる位置に厳密に限定されず、その近傍位置であってもよい。
【００３２】
なお、本実施の形態においては、閉空間構造体６を板状体２側に設けることとしているが、これに限定されず、板状体３側に設けてもよい。
【００３３】
上記構成において上側から板状体３側が音圧加振されると、板状体３が振動することにより閉空間構造体６内で共鳴が起こる。このとき、閉空間構造体６内において閉空間の音圧が減少する。したがって、放射面たる下側の板状体２の振幅が低下するので、板状体２からの放射音を低減させ、二重壁構造体の音響透過損失を向上させることができる。
【００３４】
図２には参考例１−２が示され、この構成においては、４個の閉空間構造体６が、縦横方向（長手方向および短手方向に各２個）に配設されている。即ち、閉空間構造体６が参考例１−１の場合よりも増えているので、閉空間および多孔面６ａの面積が増加し、音響透過損失を向上できる。
【００３５】
図３には、参考例１−３が示され、この構成においては、閉空間構造体６に多孔面６ａ，６ｂが形成される。したがって、４個の閉空間構造体６の多孔面６ａ，６ｂの面積が増加しているので、音響透過損失をさらに向上できる。また、この場合は、板状体２，３の長手方向のみでなく幅方向の共鳴も抑制できる。言い換えれば、二つの音圧モード方向における共鳴を抑制し得る構成となっている。なお、閉空間構造体６の個数は３個または４個に限定されるものではなく、想定される騒音による二重壁構造体１の共鳴モードを考慮して、最適な個数を決定すれば良い。さらに多孔面６ａ，６ｂの穴径をそれぞれ最適に調整してもよい。
【００３６】
図４には、本発明の一部の実施例２−１が示され、この構成においては、加振側の板状体２ａの一部に開口部２ｂが設けられている。この開口部２ｂを閉鎖するように閉鎖部材の一つである板状体７が設けられており、板状体７の表面上に閉空間構造体６が接合されている。すなわち、閉空間構造体６と板状体７とが、接着剤等で接合されている。この接合状態の他の例等については後述する。
【００３７】
上記構成において上側から板状体３側が音圧加振されると、板状体３が振動することにより内部空間４内で共鳴が起こる。閉空間構造体６によって閉空間の音圧が減少する。したがって、放射面たる下側の板状体２ａ，７の振幅が低下するので、板状体２ａ，７からの放射音が低減し二重壁構造体の音響透過損失を向上させることができる。
【００３８】
図５には本発明の一部の実施例２−２が示されるが、この本発明の一部の実施例２−２は参考例１−２と本発明の一部の実施例２−１を組み合わせたものに相当する。即ち、４個の閉空間構造体６が、縦横方向（長手方向および短手方向に各２個）に配設され、板状体７の表面上に接合されている。この構成においては、閉空間構造体６が本発明の一部の実施例２−１の場合よりも増えているので、閉空間および多孔面６ａの面積が増加し、音響透過損失を向上できる。
【００３９】
図６には本発明の一部の実施例２−３が示されるが、この本発明の一部の実施例２−３は参考例１−３と本発明の一部の実施例２−１を組み合わせたものに相当する。即ち、閉空間構造体６が多孔面６ａ，６ｂを有し、かつ４個の閉空間構造体６が、縦横方向（長手方向および短手方向に各２個）に配設され、板状体７の表面上に接触して接着されている。この構成においては、４個の閉空間構造体６の多孔面６ａ，６ｂの面積が増加しているので、音響透過損失を向上できる。また、この場合は、板状体２，３の長手方向のみでなく幅方向の共鳴も抑制できる。言い換えれば、二つの音圧モード方向における共鳴を抑制し得る構成となっている。なお、閉空間構造体６の個数は３個または４個に限定されるものではなく、想定される騒音による二重壁構造体１の共鳴モードを考慮して、最適な個数を決定すれば良い。
【００４０】
図７には、本発明の一部の実施例２−４が示される。この構成においては、本発明の一部の実施例２−３の板状体７の表面に、凸凹形状を有するエンボス加工が施されている。したがって、板状体７の剛性を高めることができる。この剛性の高い凸凹のエンボス加工がされた板状体７ａを用いることにより、板状体７ａの加工性も向上させつつ、吸音性も向上させることができる。なお、本例においては、凹凸形状の代表例としてエンボス加工について説明したが、これに限定されず、他の任意の凹凸形状を形成してもよい。
【００４１】
また、図８には、本発明の一部の実施例２−５が示され、この構成においては、本発明の一部の実施例２−３の板状体７の表面に、制振材料７ｂが貼付けられている。したがって、放射面側に設けられた板状体４ｂの制振材料により振動が低減される。その結果、音響透過損失を向上できる。
【００４２】
また、図９には、本発明の一部の実施例２−６が示される。この構成においては、本発明の一部の実施例２−３の板状体７の代わりに、多孔面板７ｃが使用される。
【００４３】
この構成において上側から板状体３側が音圧加振されると、板状体３が振動することにより、内部空間４内で共鳴が起こる。このとき、閉空間構造体６および多孔質体７ｃによって内部空間４の音圧が低下する。したがって、放射面たる下側の板状体２，７ｃの振幅が低下するので、板状体２，７ｃからの放射音を低減させ、二重壁構造体の音響透過損失を向上させることができる。
【００４４】
また、図１０には、本発明の一部の実施例２−７が示される。この構成においては、本発明の一部の実施例２−３の板状体７の材質が、多孔質体７ｄからなる。例えば、多孔質体７ｄの例として、グラスウール、ペット樹脂繊維等繊維系で構成された吸音材または連続気泡で構成されるウレタン等の発泡体等がある。なお、板状体７の全てが多孔質体７ｄからなるものとしたが、これに限定されず、積層薄膜構造の一部を多孔質体７ｄとし、多孔板と組み合わせて用いてもよい。
【００４５】
この構成においては、板状体７の多孔質体７ｄにより吸音性が向上される。さらに、このとき、閉空間構造体６および多孔質体７ｄによって内部空間４の音圧が低下する。したがって、放射面たる下側の板状体２，７ｄの振幅がさらに低下するので、板状体２，７ｄからの放射音がさらに低減され、音響透過損失を向上させることができる。
【００４６】
続いて、図１１には、本実施例３−１が示される。この構成においては、本発明の一部の実施例２−１の二重壁構造体１の下方から、板状体２ｃ、側板５ｃをからなる枠体１ｃを取り付けた枠体付き二重壁構造体を示したものである。この枠体１ｃを取り付けることにより、板状体２ａ，２ｃで板状体７を挟持する構成となる。なお、枠体１ｃは、板状体２ａ，７と板状体２ｃとの間には間隙が設けられるように取り付けられる。
【００４７】
この構成により、板状体３側から与えられた音圧加振に対して、板状体３が振動することにより板状部材７に接着固定された閉空間構造体６により内部空間４の音圧が低減される。放射面たる下側の板状体２ｃの振幅が低下するので、二重壁構造体の音響透過損失を向上させることができる。
【００４８】
次に、閉空間構造体６の内部構造について説明する。図１２から図１５は、閉空間構造体６の内部構造についての説明図である。
【００４９】
図１２は、閉空間構造体６が板状体２の一部に形成されている場合を示す模式的断面図である。この場合、板状体２の面に沿って蓋部材６１が設けられる。また、図１２の構成を本発明の一部の実施例２−１〜２−７および本実施例に適用する場合には、板状体２の代わりに板状体７の一部に閉空間構造体６が形成されることとなる。
【００５０】
図１３は、閉空間構造体６が閉空間構造体支持部材６ｃの一部に形成されている場合を示す模式的断面図である。
【００５１】
この場合、閉空間構造体支持部材６ｃは、板状体２，７に略平行に設けられる。この場合、閉空間構造体支持部材６ｃおよび板状体２，７の間に間隙を設けてもよく、また逆に間隙を設けないようにしてもよい。
【００５２】
図１４は、閉空間構造体６の一面が開放された容器状からなり、板状体２、７により閉空間構造体６の一面が略閉塞されるように形成されている場合を示す模式的断面図である。
【００５３】
この場合、閉空間構造体６の一部が、板状体２，７にネジ固定されている。したがって、閉空間構造体６の剛性を高めることができる。
【００５４】
次いで、図１５は、閉空間構造体６が内部空間４を有する直方体からなる場合を示す模式的断面図である。
【００５５】
図１５においては、閉空間構造体６が接着剤８０により板状体２，７の表面上に接合されている。
【００５６】
以上の図１２から図１５のいずれの場合においても、閉空間構造体６が板状体２，７の表面上に固設されるので、二重壁構造体１の上側から板状体３側が音圧加振された場合、板状体３が振動することにより内部空間４で共鳴が起こる。このとき、閉空間構造体６によって内部空間４の音圧が減少する。したがって、放射面たる下側の板状体２の振幅が低下するので、板状体２からの放射音が低減され二重壁構造体の音響透過損失を向上させることができる。
【００５７】
続いて、図１６から図２０は、閉空間構造体６の形状を説明するための模式的断面図である。
【００５８】
図１６は、閉空間構造体６が直方体から形成された場合を示す模式的断面図である。
【００５９】
図１６に示すように、参考例１−１と同じく、板状体２と略平行に多孔面６ａが形成されることが好ましい。また、参考例１−３のように板状体２と略垂直に多孔面６ｂが多孔面６ａとともに形成されてもよい（図示せず）。
【００６０】
図１７は、閉空間構造体６が半球から形成された場合を示す模式的断面図である。
【００６１】
この場合、半球状閉空間構造体６ｘのほぼ全面に多孔面６ａが形成されている。なお、図１７においては、半球状閉空間構造体６ｘについて説明したが、これに限定されず、楕円等他の任意の曲面からなる閉空間構造体であってもよい。また、全面に多孔面６ａが形成されているとしたが、これに限定されず、一部に多孔面６ａを形成することとしてもよい。
【００６２】
次に、図１８は、閉空間構造体６が多面体から形成された場合を示す模式的断面図である。
【００６３】
この場合、多面体閉空間構造体６ｙのほぼ全面に多孔面６ａが形成されている。なお、図１８においては、多面体閉空間構造体６ｙについて説明したが、これに限定されず、多面体閉空間構造体６ｙの一部から閉空間構造体が形成されることとしてもよい。さらに、全面に多孔面６ａが形成されていることとしたが、これに限定されず、一部に多孔面６ａを形成することとしてもよい。
【００６４】
図１９は、閉空間構造体６が三角錐から形成された場合を示す模式的断面図である。
【００６５】
この場合、三角錐閉空間構造体６ｚのほぼ全面に多孔面６ａが形成されている。なお、図１９においては、三角錐閉空間構造体６ｚについて説明したが、これに限定されず、三角錐閉空間構造体６ｚの一部から閉空間構造体が形成されることとしてもよい。全面に多孔面６ａが形成されているとしたが、これに限定されず、一部に多孔面６ａを形成することとしてもよい。
【００６６】
図２０は、閉空間構造体６が真球から形成された場合を示す模式的断面図である。
【００６７】
この場合、真球閉空間構造体６Ｒのほぼ一部に多孔面６ａが形成されている。この真球閉空間構造体６Ｒは、接着剤８０により板状体２，７に接着固定される。
【００６８】
なお、図２０においては、真球閉空間構造体６Ｒについて説明したが、これに限定されず、真球閉空間構造体６Ｒの一部から閉空間構造体が形成されることとしてもよい。一部に多孔面６ａが形成されているとしたが、これに限定されず、全面に多孔面６ａを形成することとしてもよい。
【００６９】
上記の実施形態の有効性を確かめるために、以下のような実験を行った。即ち、参考例１−１〜１−３，本発明の一部の実施例２−１〜２−７のそれぞれの構造の二重壁構造体１を、音源室、受音室からなる残響室における両室の間の位置に設置し、ＪＩＳ  Ａ１４１６に基づいて二重壁構造体１の片側から適宜の騒音を発生させ、二重壁構造体１を挟んだ両側で騒音計を用いて音圧を計測して、音響透過損失を求めた。
【００７０】
この結果を図２１〜図２３に示す。なお図２１〜図２３のグラフのそれぞれには、従来例の構造（図２４）について同様の実験を行った結果も併せて示してある。各図のグラフに示すように、従来例においては３１５Ｈｚ付近の周波数領域において音響透過損失に落ち込みがみられ、この部分で共鳴ないし共振が生じていると推測される。
【００７１】
一方、本発明の各参考例および実施例の構成においては、音圧が大きくなる位置で多孔面６ａを有する閉空間構造体６によって音圧が低減されている結果、または振動系の共振が低減されている結果、遮音性能を向上できていることがわかる。
【００７２】
以上に本発明の好適な実施形態を示したが、本発明の技術的範囲は以上の実施形態に限定されるものではなく、様々に変形して実施することができる。
【００７３】
例えば本発明の枠体付き二重壁構造体１は、乗用車のドアのみならず、例えばフード、トランクリッドに適用することができる。また、板状体２，３の形状については、上記のような長方形とすることに限らず、必要とされる部品の形状に応じて種々変更され得ることは言うまでもない。
【００７４】
また、多孔面６を加振側の板状体２に接合することとしたが、これに限定されず、多孔面６と放射面側の板状体３とを接合する構成としても良い。
【００７５】
また、音圧モードの方向（言い換えれば、多孔面６の向き）については、騒音源との位置関係などの様々な事情を考慮して、任意に定めて良い。
【００７６】
更には、多孔質体７ｄとしては、前述のグラスウールやフェルト等のほか、例えばポリウレタン、連続気泡の発泡材を用いることができる。また、多孔板７ｃの貫通孔については、孔を通過する空気の粘性作用が期待できるような微細なものであるのが好ましい。
【００７７】
本発明は、上記の好ましい実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００７８】
【図１】本発明の二重壁構造体の参考例１−１の模式的斜視図
【図２】参考例１−２の模式的斜視図
【図３】参考例１−３の模式的斜視図
【図４】実施例２−１の模式的斜視図
【図５】実施例２−２の模式的斜視図
【図６】実施例２−３の模式的斜視図
【図７】実施例２−４の模式的斜視図
【図８】実施例２−５の模式的斜視図
【図９】実施例２−６の模式的斜視図
【図１０】実施例２−７の模式的斜視図
【図１１】本発明の枠体付き二重壁構造体の実施例
【図１２】閉空間構造体の断面の一例を示す模式図
【図１３】閉空間構造体の断面の一例を示す模式図
【図１４】閉空間構造体の断面の一例を示す模式図
【図１５】閉空間構造体の断面の一例を示す模式図
【図１６】閉空間構造体の断面の一例を示す模式図
【図１７】閉空間構造体の断面の一例を示す模式図
【図１８】閉空間構造体の断面の一例を示す模式図
【図１９】閉空間構造体の断面の一例を示す模式図
【図２０】閉空間構造体の断面の一例を示す模式図
【図２１】本発明の二重壁構造体の効果を示す図
【図２２】本発明の二重壁構造体の効果を示す図
【図２３】本発明の二重壁構造体の効果を示す図
【図２４】従来の二重壁構造体の模式的斜視図
【符号の説明】
【００７９】
１  二重壁構造体
２，２ｃ，３，７，７ａ  板状体
４  内部空間
５，５ｃ  側板
６  閉空間構造体
６ａ，６ｂ  多孔面
７ｂ  制振材料
７ｃ  多孔面板
７ｄ  多孔質体
【図１】
0004680963.tif 000002
【図２】
0004680963.tif 000003
【図３】
0004680963.tif 000004
【図４】
0004680963.tif 000005
【図５】
0004680963.tif 000006
【図６】
0004680963.tif 000007
【図７】
0004680963.tif 000008
【図８】
0004680963.tif 000009
【図９】
0004680963.tif 000010
【図１０】
0004680963.tif 000011
【図１１】
0004680963.tif 000012
【図１２】
0004680963.tif 000013
【図１３】
0004680963.tif 000014
【図１４】
0004680963.tif 000015
【図１５】
0004680963.tif 000016
【図１６】
0004680963.tif 000017
【図１７】
0004680963.tif 000018
【図１８】
0004680963.tif 000019
【図１９】
0004680963.tif 000020
【図２０】
0004680963.tif 000021
【図２１】
0004680963.tif 000022
【図２２】
0004680963.tif 000023
【図２３】
0004680963.tif 000024
【図２４】
0004680963.tif 000025